(57)【特許請求の範囲】
【請求項１】
先端部にフック部を備えたヘッド本体と、先端に前記フック部と対向する可動体を備えた可動部と、を具備するヘッドが絶縁操作棒の先端に取り付けられ、前記絶縁操作棒の回転により前記可動体を移動させて前記フック部と前記可動体との間の間隔を調節する機構を備えた間接活線作業用工具において、
前記絶縁操作棒を、前記ヘッド本体に固定された先端側棒状体と、この先端側棒状体に対して回転可能に連結され、回動させることにより前記可動部の可動体を前記絶縁操作棒の軸方向に移動させる基端側棒状体とを具備して構成し、
前記基端側棒状体と前記先端側棒状体との境界近傍において一方の棒状体には、外周縁に沿って他方の棒状体側へ突出する歯が形成された円形ギヤ部材が固定され、
前記基端側棒状体と前記先端側棒状体との境界近傍において他方の棒状体には、前記絶縁操作棒の軸方向に移動可能に固定され、前記円形ギヤ部材の歯に係止可能な係止爪が設けられる
ことを特徴とする間接活線作業用工具。
【請求項２】
前記ヘッド本体は、先端部にフック部を備え、このフック部と対向する位置に基端部を備えたものであり、前記可動部は、雄ネジが外周面に形成されたネジ軸体の先端に可動体を備えたものであり、
前記フック部と前記可動体との間の間隔を調節する機構は、前記ネジ軸体の雄ネジと噛み合う雌ネジが内周面に形成された回転部材を前記基端部に回転可能に取付け、前記回転部材の回転により前記可動体を移動させて前記フック部と前記可動体との間の間隔を調節するものであり、
前記絶縁操作棒は、前記ヘッド本体に固定された先端側棒状体と、この先端側棒状体に対して回転可能に連結され、前記回転部材と一体に回転する基端側棒状体とを具備して構成され、
前記基端側棒状体の前記先端側棒状体との境界近傍に、外周縁に沿って前記絶縁操作棒の先端方向へ突出する歯が形成された円形ギヤ部材が固定され、
前記先端側棒状体の前記基端側棒状体との境界近傍に、前記絶縁操作棒の軸方向に移動可能に固定され前記円形ギヤ部材の歯に係止可能な係止爪が設けられていることを特徴とする請求項１記載の間接活線作業用工具。
【請求項３】
前記先端側棒状体と前記基端側棒状体とは、安全限界つばより下方において回転可能に連結されていることを特徴とする請求項１又は２記載の間接活線作業用工具。
【発明の詳細な説明】
【技術分野】
【０００１】
本発明は、間接活線作業において架空電線等を把持するために用いる間接活線作業用工具に関し、特に、フック部と可動体（ジョー）とで架空電線等を挟持するストレーリンクトングに関する。
【背景技術】
【０００２】
高圧配電線における間接活線作業に使用する間接活線作業用工具として、電線を保持したり直線スリーブを把持したりする場合には、所謂ストレーリンクトングが使用される（特許文献１、２等参照）。
【０００３】
このストレーリンクトング１は、図５に示されるようなもので、絶縁操作棒２の先端部に把持金具としてのヘッド３を設けて構成されている。
【０００４】
絶縁操作棒２は、円筒状（パイプ状）の絶縁性部材により形成され、この絶縁操作棒の中間部には、水切りつば４が嵌合固定され、また、この水切りつば４より下方には、感電事故を防ぐために、把持してよい部分とそれ以外の部分との境界を明確にするための安全限界つば５が嵌合固定されている。
【０００５】
ヘッド３は、アルミニウム合金などの硬質金属によって構成され、コの字形状を有するヘッド本体６と、絶縁操作棒２の軸方向に進退可能に移動する可動部７とを備えている。
【０００６】
ヘッド本体６は、コの字形状の上部に位置し、電線等に引掛ける鉤爪状のフック部６１と、このフック部６１の下方に対向配置され、コの字形状の下部に位置する基端部６２と、これらフック部６１と基端部６２のそれぞれの一側端を連結するように設けられた側壁部６３と、を有して構成されている。
【０００７】
基端部６２には、内周面に雌ネジが形成された貫通孔を有する回転円筒体１０が軸方向への移動を規制されつつ回転可能に装着されている。
【０００８】
可動部７は、回転円筒体１０の貫通孔の内周面の雌ネジに噛合する雄ネジが周面に形成された棒状のネジ軸体１２と、ヘッド本体６と協働して電線を保持（把持）可能なジョー１３とを備えている。ジョー１３は、ヘッド本体６の側壁部６３と対向する面に凹部を有し、この凹部に側壁部６３を嵌まり込ませた状態でネジ軸体１２の先端に回転不能に取り付けられている。絶縁操作棒２は、その先端部が前記回転円筒体１０の基端部に固定され、また先端部内部には、ネジ軸体１２を最も後退させた場合に、回転円筒体１０を通過したネジ軸体１２の端部を格納可能な空間が形成されている。
【０００９】
したがって、絶縁操作棒２を回転させると、それに伴って回転円筒体１０が回転し、ジョー１３の凹部に側壁部４６が嵌入しているので、回転円筒体１０と螺合しているネジ軸体１２は共回りせず、基端部６２に対して軸方向に螺進退することになる。
【００１０】
このようなストレーリンクトング１を架空電線５０に取り付ける場合には、まず、ヘッド本体６のフック部６１と可動部７のジョー１３との間を電線５０が挿入できる程度まで絶縁操作棒２を回転させて緩める。そして、絶縁操作棒２を持ってヘッド３を電線に近づけ、ヘッド３のフック部６１とジョー１３との間に電線を挿入し、電線５０にフック部６１を引っ掛ける。そして、この状態で絶縁操作棒２を電線５０の締め付け方向に回転させると、回転円筒体１０が絶縁操作棒２の回転に伴って回転する。
【００１１】
ヘッド３は絶縁操作棒２の回転方向に共回りしようとするが、ヘッド本体６のフック部６１は電線５０を捻るように係り止められる。したがって、ヘッド３が電線５０によって回り止めされ、また、ジョー１３がヘッド本体６の側壁部６３により回り止めされているため、ネジ軸体１２は前進し（ジョー１３がフック部６１に向かって前進し）、電線５０をフック部６１とジョー１３との間で締め付けることが可能となる。
【００１２】
また、絶縁操作棒２を逆方向に回転させると、回転円筒体１０が絶縁操作棒２の回転に伴って同方向に回転し、ヘッド３は電線５０により回り止めされ、また、ジョー１３はヘッド本体６の側壁部６３により回り止めされているため、回転円筒体１０と螺合するネジ軸体１２が後退し（ジョー１３が基端部６２に向かって後退し）、フック部６１とジョー１３との間隔が広げられる。
【００１３】
ところで、絶縁操作棒２のヘッド本体６の基端部６２の直下には、円板状の円形ギヤ部材３１が固定されている。この円形ギヤ部材３１のヘッド３と対峙する面の周縁には、ヘッド側に突出する歯３１ａが形成されている。また、前記ヘッド本体６の基端部６２には、可動部７の後退をロックする係止爪３２が設けられている。この係止爪３２は、ロック操作つまみ３４の操作により絶縁操作棒２の軸方向にスライド可能となっており、ロック操作つまみ３４を絶縁操作棒２側にスライド操作して係止爪３２を前記円形ギヤ部材３１の歯３１ａに係止させることで、絶縁操作棒２の回転方向を規制する機能を有している。
【００１４】
ここで、円形ギヤ部材３１の歯３１ａは、ジョー１３を前進させる回転方向で係止爪３２と対向する面が緩やかな傾斜面となっており、また、ジョー１３を後退させる回転方向で係止爪３２と対向する面が円形ギヤ部材の端面に対して略垂直な面となっている。
【００１５】
このため、係止爪３２が円形ギヤ部材３１の歯３１ａに当接している場合においても、ジョー１３を前進させる方向に絶縁操作棒２を回転させようとすると、係止爪３２は緩やかな傾斜面を乗り越えることができるため、回転が許容されてジョー１３の前進が可能となり、絶縁操作棒２を逆に回転させようとすると、係止爪３２は、略鉛直な面に当接して回転が阻止されるので、ジョー１３の後退が制限されるようになっている。
【先行技術文献】
【特許文献】
【００１６】
【特許文献１】特開２００９−２３２５７９号公報
【特許文献２】特開２０１０−６８５８２号公報
【発明の概要】
【発明が解決しようとする課題】
【００１７】
しかしながら、上述の従来のストレーリンクトング１は、作業に合わせてロック機構を活用しているが、係止爪３２によるロックをしない状態で使用する場合には、ヘッド３は側壁部寄りに重心があるので、絶縁操作棒２を斜めにして電線にアプローチすると、ヘッド２の開口部が上を向いてしまい、電線５０をフック部６１とジョー１３との間に挿入しにくくなる。
【００１８】
このため、ヘッドが回転しないように、ロック機構によりロックをした状態とする必要があるが、電線からヘッドを外す場合や、電線の保持位置を直す際には、ロック状態を解除するために、バインド打ち器などの他の間接活線工具を同時に使用する必要があり、作業労力を要するものであった。
【００１９】
また、一旦ロックを解除すると、間接活線工具を用いて再びロック機構をロック状態に戻すか、ロック操作つまみを手元まで引き寄せて手で操作する必要があり、手間がかかるものであった。
【００２０】
本発明は係る事情に鑑みてなされたものであり、ヘッドの回転のロック・ロック解除を、他の間接活線工具を用いることなく、架線に引っ掛けた状態で行うことが可能な間接活線作業用工具を提供することを主たる課題としている。
【課題を解決するための手段】
【００２１】
上記課題を達成するために、本発明に係る間接活線作業用工具（ストレーリンクトング）は、先端部にフック部を備えたヘッド本体と、先端に前記フック部と対向する可動体を備えた可動部と、を具備するヘッドが絶縁操作棒の先端に取り付けられ、前記絶縁操作棒の回転により前記可動体を移動させて前記フック部と前記可動体との間の間隔を調節する機構を備えた構成において、前記絶縁操作棒を、前記ヘッド本体に固定された先端側棒状体と、この先端側棒状体に対して回転可能に連結され、回動させることにより前記可動部の可動体を前記絶縁操作棒の軸方向に移動させる基端側棒状体とを具備して構成し、  前記基端側棒状体と前記先端側棒状体との境界近傍において一方の棒状体には、外周縁に沿って他方の棒状体側へ突出する歯が形成された円形ギヤ部材が固定され、前記基端側棒状体と前記先端側棒状体との境界近傍において他方の棒状体には、前記絶縁操作棒の軸方向に移動可能に固定され前記円形ギヤ部材の歯に係止可能な係止爪が設けられることを特徴としている。
【００２２】
したがって、円形ギヤ部材とこの円形ギヤ部材の歯に係止可能な係止爪が絶縁操作棒の上端部ではなく、基端側棒状体と先端側棒状体との境界部分に設けられるので、絶縁操作棒を手で持つ付近に円形ギヤ部材や係止爪を配置することが可能となり、係止爪の操作を絶縁操作棒を手前に引くことなく手元で行うことが可能となる。
このため、ロック・ロック解除を行う場合に他の間接活線工具を用いる必要がなく、また、ロック・ロック解除の操作のために作業が中断してしまう不都合もなくなる。
【００２３】
上述した間接活線作業用工具の具体的構成例としては、前記ヘッド本体を、先端部にフック部を備え、このフック部と対向する位置に基端部を備えたものとし、前記可動部を、雄ネジが外周面に形成されたネジ軸体の先端に可動体を備えたものとし、前記フック部と前記可動体との間の間隔を調節する機構を、前記ネジ軸体の雄ネジと噛み合う雌ネジが内周面に形成された回転部材を前記基端部に回転可能に取付け、前記回転部材の回転により前記可動体を移動させて前記フック部と前記可動体との間の間隔を調節するとし、前記絶縁操作棒を、前記ヘッド本体に固定された先端側棒状体と、この先端側棒状体に対して回転可能に連結され、前記回転部材と一体に回転する基端側棒状体とを具備して構成し、前記基端側棒状体の前記先端側棒状体との境界近傍に、外周縁に沿って前記絶縁操作棒の先端方向へ突出する歯が形成された円形ギヤ部材を固定し、前記先端側棒状体の前記基端側棒状体との境界近傍に、前記絶縁操作棒の軸方向に移動可能に固定され前記円形ギヤ部材の歯に係止可能な係止爪を設けるようにしてもよい。
【００２４】
なお、前記先端側棒状体と前記基端側棒状体とは、共用操作棒を手で握る部分、即ち、安全限界つばより下方において回転可能に連結されていることが好ましい。
【発明の効果】
【００２５】
以上述べたように、本発明に係る間接活線作業用工具によれば、絶縁操作棒を、ヘッド本体に固定された先端側棒状体と、これに回転可能に連結された基端側棒状体とを具備して構成し、基端側棒状体と先端側棒状体との境界近傍において一方の棒状体には、外周縁に沿って他方の棒状体側へ突出する歯が形成された円形ギヤ部材が固定され、前記基端側棒状体と前記先端側棒状体との境界近傍において他方の棒状体には、前記絶縁操作棒の軸方向に移動可能に固定され前記円形ギヤ部材の歯に係止可能な係止爪が設けられているので、ロック・ロック解除を、他の間接活線工具を用いることなく、手元で行うことが可能となる。
【図面の簡単な説明】
【００２６】
【図１】図１は、本発明に係る間接活線作業用工具の構成例を示す外観図である。
【図２】図２は、図１で示す間接活線作業用工具の断面構造を示す図であり、フック部に電線を保持していない状態を示す。
【図３】図３は、図１で示す間接活線作業用工具の断面構造を示す図であり、フック部に電線を保持した状態を示す。
【図４】図４は、本発明に係る間接活線作業用工具を用いて電線を保持する作業工程を示す図であり、（ａ）は電線を保持する前の状態を示す図、（ｂ）は電線を保持した状態を示す図である。
【図５】図５は、従来のストレーリンクトングを示す図である。
【発明を実施するための形態】
【００２７】
以下、本発明に係る間接活線作業用工具の実施形態について図面を参照しながら説明する。
【００２８】
図１乃至図３において、本発明に係る間接活線作業用工具としてのストレーリンクトング１の構成例が示されている。
このストレーリンクトング１は、絶縁操作棒２と、この絶縁操作棒２の先端部に取り付けられた保持金具としてのヘッド３とを有して構成されている。
【００２９】
絶縁操作棒２は、中空円筒状の絶縁性部材、例えば、エポキシ樹脂系強化プラスティック、ポリエステル樹脂系強化プラスティック等の変形し難い部材で形成されている。
絶縁操作棒の中間部には、降雨対策用としての水切りつば４が嵌合固定され、また、この水切りつば４より下方には、感電事故を防ぐために、把持してよい部分とそれ以外の部分との境界を明確にするための安全限界つば５が嵌合固定されている。
【００３０】
ヘッド３は、アルミニウム合金などの硬質金属によって構成され、コの字形状（Ｃ形クランプ状）を有するヘッド本体６と、絶縁操作棒２の軸方向に進退可能に移動する可動部７とを有している。
【００３１】
ヘッド本体６は、コの字形状の上部に位置し、電線等に引掛ける鉤爪状のフック部６１と、このフック部６１の下方に対向配置され、コの字形状の下部に位置する基端部６２と、これらフック部６１と基端部６２のそれぞれの一側端を連結するように設けられた側壁部６３と、を備えて構成されている。
【００３２】
基端部６２には、そのほぼ中央を絶縁操作棒２の軸方向に貫通する通孔８が形成され、この通孔８に、内周面に雌ネジが形成された貫通孔９を有する回転円筒体（回転部材）１０が回転可能に挿通されている。
この回転円筒体１０は、上下端部に拡径されたフランジ部１０ａ，１０ｂが形成され、このフランジ部１０ａ，１０ｂにより、軸方向への移動が規制されている。
【００３３】
可動部７は、回転円筒体１０の貫通孔９の内周面の雌ネジに噛み合わさる雄ネジが周面に形成された棒状のネジ軸体１２と、このネジ軸体１２の上端に該ネジ軸体１２に対して相対回転不能に取り付けられ、ヘッド本体６と協働して電線を保持（把持）可能とするジョー（可動体）１３とを備えている。
【００３４】
このジョー１３は、ヘッド本体６の側壁部６３と対向する面に凹部１３ａが形成され、この凹部１３ａに側壁部６３を嵌まり込ませた状態でネジ軸体１２の先端に相対回転不能に取り付けられている。前記ネジ軸体１２は、このジョー１３の下端部から回転円筒体１０を挿通し、絶縁操作棒２の先端部に挿入されており、後述する中継ロッド２５の先端部に形成された収容空間２５ａに先端部が収容されている。
【００３５】
前記絶縁操作棒２は、ヘッド本体６に固定されてこのヘッド本体６に対して相対回転不能に取付けられた先端側棒状体２１と、この先端側棒状体２１に対して相対回転可能に取付けられ、前記回転円筒体１０と一体に回転する基端側棒状体２２とを具備して構成されている。
【００３６】
先端側棒状体２１は、前記水切りつば４や安全限界つば５が嵌合固定される程度の長さに形成され、安全限界つば５の下方に手で握ることができる領域と後述するロック機構３０の係止爪３２が取付けられる領域とが確保される長さに形成されている。
【００３７】
基端側棒状体２２は、前記先端側棒状体２１と軸心を一致させて先端側棒状体２１の下端部に回転可能に嵌合されているもので、下端には、共用操作棒や足し棒などを着脱可能とするジョイント金具２３が取付けられている。また、この例において、基端側棒状体２２は、先端側棒状体２１の下端開口部から内側に嵌装された嵌合部２２ａが設けられ、この嵌合部２２ａから先端側棒状体２１の内部を通って回転円筒体１０までのびる中継ロッド２５が設けられている。
【００３８】
この中継ロッド２５は、基端側棒状体２２と一体をなして回転するように固定され、また、その先端が前記回転円筒体に固着されている。また、中継ロッドの先端部には、前記ネジ軸体１２を最も後退させた場合に、回転円筒体１０を通過したネジ軸体の下端側を格納可能な収容空間２５ａが形成されている。
【００３９】
したがって、基端側棒状体２２を回転させると、これに固定されている中継ロッド２５を介して回転円筒体１０が回転し、この回転円筒体１０に螺合されているネジ軸体１２は、先端部に固定されたジョー１３がヘッド本体６の側壁部６３に係合されて回転が阻止されているため、中継ロッド２５と共周りせず、上下動されることになる。
【００４０】
ところで、基端側棒状体２２の先端側棒状体２１との境界部分には、締め付け方向（ジョー１３をフック部６１に近接させる方向）と逆方向の動き、すなわち可動部７の後退をロックするロック機構３０が設けられている。このロック機構３０は、円形ギヤ部材３１と係止爪３２とを有して構成されるもので、基端側棒状体２２の先端側棒状体２１との境界近傍には、円形ギヤ部材３１が嵌合固定されている。この円形ギヤ部材３１の上面には、外周縁に沿って絶縁操作棒２の先端方向（先端側棒状体２１側）へ突出する歯３１ａが形成されている。
【００４１】
また、先端側棒状体２１の基端側棒状体２２との境界近傍には、前記絶縁操作棒２の軸方向に移動可能に固定され、円形ギヤ部材３１の歯３１ａに係止可能な係止爪３２が設けられている
【００４２】
円形ギヤ部材３１に設けられた歯３１ａは、ジョー１３を前進させる回転方向（締め付け方向）で係止爪３２と対向する面が緩やかな傾斜面となっており、また、ジョー１３を後退させる回転方向で係止爪３２と対向する面が略垂直な面となっており、したがって、ロック機構３０によりロック状態となっている場合（係止爪３２が円形ギヤ部材３１の歯３１ａに当接している場合）においても、ジョー１３を前進させる方向に絶縁操作棒２を回転させようとすると、係止爪３２は緩やかな傾斜面を乗り越えることができるため、回転が許容されてジョー１３の前進が可能となり、絶縁操作棒２を逆方向に回転させようとすると、係止爪３２は、略鉛直な面に当接して回転が阻止されるので、ジョー１３の後退が制限されるようになっている。
【００４３】
係止爪３２は、先端側棒状体２１の基端部に固定された係止爪収容ブロック３３に収容され、絶縁操作棒２の長手方向に図示しない爪保持部によって移動可能に保持され、係止爪収容ブロック３３の側方へ突出するロック操作つまみ３４と一体をなして移動するようになっている。したがって、ロック操作つまみ３４を基端側棒状体２２側にスライド操作して係止爪３２を前記円形ギヤ部材３１の歯３１ａに係止させることで、基端側棒状体２２が先端側棒状体２１に対して回転しないようにロックする構造となっている。
【００４４】
以上の構成において、上述したストレーリンクトング１を用いて電線５０を把持する作業を説明すると、先ず、ロック操作つまみ３４を上げて係止爪３２を円形ギヤ部材３１の歯３１ａから離した状態とし、基端側棒状体２２を回転可能な状態とする。そして、この状態で基端側棒状体２２を回してジョー１３をフック部６１から離間させ、フック部６１の先端部６１ａとジョー１３との間に電線５０を挿入できる程度の空間を形成する。
【００４５】
その後、ロック操作つまみ３４を下げて係止爪３２を円形ギヤ部材３１の歯３１ａに噛合させ、ロック状態を形成する。そして、左手で先端側棒状体２１の安全限界つば５と係止爪収容ブロック３３との間を握り、また、右手で基端側棒状体２２の円形ギヤ部材３１より下方の部分を握り、ヘッド３を持ち上げ、電線５０にアプローチする（図４（ａ））、そして、電線５０をヘッド本体６の開口部を電線５０に近づけ、電線５０を開口部からヘッド３の内部に挿入する（図４（ｂ））。
【００４６】
この際、ヘッド３は、ロック状態にあるため、ヘッド３が回転してしまう不都合はなく、ヘッド本体６の開口部を意図する方向に向けて電線５０をヘッド本体６の開口部から挿入することが可能となる。
【００４７】
そして、フック部６１とジョー１３との間に電線５０を挿入したら、先端側棒状体２１を左手で保持したまま、基端側棒状体２２を右手で締め付け方向に回転させれば、ジョー１３がフック部６１に向かって前進し、フック部６１とジョー１３とで電線５０が挟持され、電線５０へのストレーリンクトング１の取り付けは完了する。
【００４８】
また、電線５０をフック部６１とジョー１３とで挟持させている状態からストレーリンクトング１を取り外すには、左手で先端側棒状体の安全限界つば５と係止爪収容ブロック３３との間を握り、ロック操作つまみ３４を上げて係止爪３２を円形ギヤ部３１の歯３１ａから離間させ、ロック状態を解除する。そして、先端側棒状体２１を左手で保持したまま、基端側棒状体２２を右手で緩める方向に回転させれば、ジョー１３がフック部６１から離間し、フック部６１を電線５０から外せば、ストレーリンクトング１の取り外しは完了する。
【００４９】
このように、円形ギヤ部材３１とその歯３１ａに係止可能な係止爪３２が、基端側棒状体２２と先端側棒状体２１との境界部分に設けられ、絶縁操作棒２を手で持つ付近で、係止爪３２の操作が可能となるので、絶縁操作棒２を手前に引くことなく手元でロック・ロック解除を行うことが可能となる。
このため、ロック・ロック解除を行う場合に他の間接活線工具を用いる必要がなく、また、ロック・ロック解除の操作のために作業が中断してしまう不都合もなくなる。
【符号の説明】
【００５０】
１  ストレーリンクトング
２  絶縁操作棒
２１  先端側棒状体
２２  基端側棒状体
３  ヘッド
５  安全限界つば
６  ヘッド本体
６１  フック部
６２  基端部
６３  側壁部
７  可動部
１０  回転円筒体
１２  ネジ軸体
１３  ジョー
３１  円形ギヤ部材
３１ａ  歯
３２  係止爪
【図１】
0005889940.tif 000002
【図２】
0005889940.tif 000003
【図３】
0005889940.tif 000004
【図４】
0005889940.tif 000005
【図５】
0005889940.tif 000006